(57)【要約】【課題】従来の２重系のシステム構成においては、収録時に一方の系統で、機器故障等の障害により映像音声信号の収録に失敗した場合には、番組時差素材が他方の系統にしか存在しない状況になる。このため、収録された系統だけからの送出（番組時差送出）となる。このような片系統での番組時差送出の状況下では、送出側の機器故障が発生した場合には、番組時差送出ができなくなり、放送が中断若しくは停止する。【解決手段】２重系構成の映像音声収録装置それぞれに、常に、２重系構成のマトリクススイッチャのそれぞれからの映像音声信号を収録するようにして、安定性及び信頼性の高い番組時差収録システムを構成した。【選択図】図１
2009117983.tif 000002
【特許請求の範囲】
【請求項１】
第１の映像音声信号を記録若しくは再生するための第１の映像音声収録装置と、第１の映像音声信号と同一の第２の映像音声信号を記録若しくは再生するための第２の映像音声収録装置と、第１と第２の映像音声信号の収録状態を監視する監視装置と、第１と第２の映像音声収録装置から送出される映像音声信号のいずれか１つ送出するように切替えるための映像音声信号切替装置と、
監視装置が第１の映像音声信号と第２の映像音声信号のどちらか一方の映像音声信号の収録状態の異常を検知した場合に、異常を検知した映像音声信号の記録を中断し、他方の映像音声信号を番組時差素材として登録するように第１の映像音声収録装置及び第２の映像音声収録装置を制御するための制御装置とを備えたことを特徴とする番組時差収録システム。
【発明の詳細な説明】
【技術分野】
【０００１】
本発明は、放送番組の番組収録送出システムに関わり、特に、番組素材を収録する番組時差収録システムに関する。
【背景技術】
【０００２】
テレビジョン番組を放送する放送局において、キー局やローカル局などでは、一度、映像音声信号等の素材を映像音声収録装置に収録し、一定時間経過後、収録されたこれらの番組を映像音声収録装置から読出して放送する時差送出を行っている（以下、映像音声収録装置に収録された素材を番組時差素材と称する）。その理由は、以下の（１）〜（３）である。
（１）生番組以外のスタジオ収録の際に配信される番組の映像音声信号を収録し放送する。
（２）キー局や準キー局から配信される番組の映像音声信号を異なる時間帯に放送する。
（３）地上放送で放送された番組を衛星放送側で異なる時間帯に放送する。
【０００３】
放送局においては、放送番組の安定供給の必要性から、以下に記載する理由等によって、映像音声収録装置を用いた番組時差収録システム若しくは番組時差収録送出システム（番組送出システム）では、多系統のシステム構成をとっている（特許文献１参照。）。通常は、２系統であり、２重系ともいう。
【０００４】
【特許文献１】特開２００５−２１０４９０号公報
【発明の開示】
【発明が解決しようとする課題】
【０００５】
上述した従来の２重系のシステム構成においては、収録時に一方の系統で、機器故障等の障害により映像音声信号の収録に失敗した場合には、番組時差素材が他方の系統にしか存在しない状況になる。このため、収録された系統だけからの送出（番組時差送出）となる。
一方の系統にしか素材が存在しない場合には、番組時差素材が存在する系統から存在しない他方の系統に、異なる系統間での素材コピーを自動で行う設定となっている。しかし、放送する予定時刻まで時間があまりない場合や、放送予定時刻になってもコピーが完了していない状況では、番組時差素材が存在する系統のみ（片系統）を使っての番組時差送出となる。
このような片系統での番組時差送出の状況下では、送出側の機器故障が発生した場合には、番組時差送出ができなくなり、放送が中断若しくは停止する。
本発明の目的は、上記のような問題を解決し、機器故障や回線不良による番組時差素材の収録（以降、「番組時差素材の収録」を「時差収録」と称する）の失敗を回避し、安定した番組の放送を実現することのできる番組時差収録システムを提供することにある。
【課題を解決するための手段】
【０００６】
上記の目的を達成するため、本発明の番組時差収録システムは、第１の映像音声信号を記録若しくは再生するための第１の映像音声収録装置と、第１の映像音声信号と同一の第２の映像音声信号を記録若しくは再生するための第２の映像音声収録装置と、第１と第２の映像音声信号の収録状態を監視する監視装置と、第１と第２の映像音声収録装置から送出される映像音声信号のいずれか１つ送出するように切替えるための映像音声信号切替装置と、監視装置が第１の映像音声信号と第２の映像音声信号のどちらか一方の映像音声信号の収録状態の異常を検知した場合に、異常を検知した映像音声信号の記録を中断し、他方の映像音声信号を番組時差素材として登録するように第１の映像音声収録装置及び第２の映像音声収録装置を制御するための制御装置とを備えたものである。
【発明の効果】
【０００７】
本発明によれば、機器故障や回線不良による番組時差素材の収録（時差収録）の失敗を回避し、安定した、信頼性の高い番組時差収録システムを実現することができる。
【発明を実施するための最良の形態】
【０００８】
以下に、本発明の一実施例を図１によって説明する。図１は、本発明の番組時差収録システムの構成を示すブロック図である。１０１は機器制御用コンピュータ、１０２は現用側マトリクススイッチャ、１０３は現用側映像音声収録装置、１０４は予備側映像音声収録装置、１０５は予備側マトリクススイッチャ、１０６は現用側映像音声信号監視装置、１０７は予備側映像音声信号監視装置、１０８は分配器、破線枠で囲った１０、２０、３０、及び４０は再生装置によって再生された素材の映像音声信号、破線枠で囲った１１〜１８は映像音声信号である。また、実線は映像音声信号の経路を示し、破線は制御信号の経路を示す。
【０００９】
なお、現用側映像音声収録装置１０３及び予備側映像音声収録装置１０４は、例えば、ビデオサーバであり、上位システムからの制御を受けて、内部に記録した番組時差素材から指定された番組時差素材を指定された時刻に送出する。
なお、ここで、映像音声信号と称している信号は、必ずしも映像と音声の両方を含んでいるものではなく、いずれか１つしかない場合でも、映像音声信号と称している。
【００１０】
図１における番組時差収録システムは、放送全般の運用を管理する送出コントローラ等の上位システムから制御を受けている。分配器１０８には、映像音声信号１０、２０、３０、若しくは４０等、上位システムの制御により再生、又は、スタジオ収録された映像音声信号データ、キー局や準キー局から配信される番組の映像音声信号、もしくは、地上放送等で放送された番組等、ネットワーク回線で配信された素材の映像音声信号のどれかからの映像音声信号が入力される。
【００１１】
上位システムは、番組時差収録システムの分配器１０８、機器制御用コンピュータ１０１、並びに、映像音声収録装置１０３及び映像音声収録装置１０４とＬＡＮ（ Local Area Network ）等のネットワーク回線で結合されている。
例えば、上位システムの制御によって、現在、映像音声信号１０が分配器１０８に入力される。分配器１０８は、入力された映像音声信号１０を２つの映像音声信号１１と１５に分配し、映像音声信号１１を現用側マトリクススイッチャ１０２に、映像音声信号１５を予備側マトリクススイッチャ１０５に出力する。
【００１２】
現用側マトリクススイッチャ１０２は、入力された映像音声信号１１を映像音声信号１２、１３、及び１４に分配して、分配した映像音声信号１２を現用側映像音声収録装置１０３に、分配した映像音声信号１３を予備側映像音声収録装置１０４に、分配した映像音声信号１４を現用側映像音声信号監視装置１０６に、それぞれ出力する。
同様に、予備側マトリクススイッチャ１０５は、入力された映像音声信号１５を映像音声信号１６、１７、及び１８に分配して、分配した映像音声信号１６を現用側映像音声収録装置１０３に、分配した映像音声信号１７を予備側映像音声収録装置１０４に、分配した映像音声信号１８を予備側映像音声信号監視装置１０７に、それぞれ出力する。
【００１３】
上述したように、現用側映像音声収録装置１０３及び予備側映像音声収録装置１０４は、時差収録時、映像音声信号１２、１３、１６、及び１７を放送用素材（番組時差素材）として収録する。これにより、現用側映像音声収録装置１０３と予備側映像音声収録装置１０４には、分配器１０８から入力された映像音声信号１１及び１５を、それぞれ、番組時差素材として収録する。
例えば、現用側映像音声収録装置１０３及び予備側映像音声収録装置１０４が、共に正常に映像音声信号１２、１３、１６、及び１７をそれぞれすべて収録できた場合には、現用側映像音声収録装置１０３は、映像音声信号１２から収録した映像音声信号の素材を現用側の番組時差素材として登録し、映像音声信号１６から収録した映像音声信号の素材を破棄する。かつ、予備側映像音声収録装置１０４は、映像音声信号１３から収録した素材を予備側の番組時差素材として登録し、映像音声信号１７から収録した素材を破棄する。
現用側映像音声収録装置１０３及び予備側映像音声収録装置１０４は、例えば、入力される映像信号を監視し、映像信号のフレーム間での動き量が所定値以下の状態が所定時間以上連続した時、音声のミュート時間の間隔が異常に長い時、等を検知した場合には正常に収録されていないとする。
【００１４】
また、現用側映像音声信号監視装置１０６は、入力された映像音声信号１４に異常があるか否かを検知する機能を備えている。即ち、現用側映像音声信号監視装置１０６は、映像音声信号１４の異常を検知した場合に、異常検知情報を機器制御用コンピュータ１０１に出力する。機器制御用コンピュータ１０１は、入力された異常検知情報に基づいて、映像音声信号１４に対応する映像音声信号１２、１３の収録の中止を指示する制御信号を現用側映像音声収録装置１０３と予備側映像音声収録装置１０４にそれぞれ出力する。
収録中止の制御信号を受けた現用側映像音声収録装置１０３は、映像音声信号１２の収録の中止と収録途中の映像音声信号１２のデータを破棄を実行し、予備側マトリクススイッチャ１０５から入力された映像音声信号１６から収録した素材を現用側の番組時差素材として登録する。
同様に、収録中止の制御信号を受けた予備側映像音声収録装置１０４は、映像音声信号１３の収録の中止と収録途中の映像音声信号１３のデータを破棄を実行し、予備側マトリクススイッチャ１０５から入力された映像音声信号１７から収録した素材を予備側の番組時差素材として登録する。
【００１５】
また、予備側映像音声信号監視装置１０７は、入力された映像音声信号１８に異常があるか否かを検知する。即ち、現用側映像音声信号監視装置１０７は、映像音声信号１８の異常を検知した場合、異常検知情報を機器制御用コンピュータ１０１に出力する。機器制御用コンピュータ１０１は、入力された異常検知情報に基づいて、映像音声信号１８に対応する映像音声信号１６、１７の収録の中止を指示する制御信号を現用側映像音声収録装置１０３と予備側映像音声収録装置１０４に出力する。
収録中止の制御信号を受けた現用側映像音声収録装置１０３は、映像音声信号１６の収録の中止と収録途中の映像音声信号１６のデータを破棄を実行し、現用側マトリクススイッチャ１０２から入力された映像音声信号１２から収録した素材を現用側の番組時差素材として登録する。
同様に、収録中止の制御信号を受けた予備側映像音声収録装置１０４は、映像音声信号１７の収録の中止と収録途中の映像音声信号１７のデータを破棄を実行し、現用側マトリクススイッチャ１０２から入力された映像音声信号１３から収録した素材を予備側の番組時差素材として登録する。
【００１６】
なお、現用側映像音声収録装置１０３及び予備側映像音声収録装置１０４には、以下のパラメータが存在し、設定したパラメータを超えた異常が検出されると、監視装置１０３若しくは１０４側から機器制御用コンピュータ１０１に通知される。
（１）映像フリーズパラメータ：映像静止検出
（２）映像ブラックアウトパラメータ：映像の黒味（低輝度レベル値）検出
（３）音声ミュートパラメータ：音声の無音検出
（４）サブリミナル効果パラメータ：サブリミナル効果の検出
（５）ラインドロップアウトパラメータ：映像輝度レベル異常の検出
【００１７】
現用映像音声収録装置１０３は、機器故障により映像音声信号１２の収録が中断となった場合には、機器制御用コンピュータ１０１に収録中断の中断情報を出力する。
収録中断の中断情報を受けた機器制御用コンピュータ１０１は、映像音声信号１６から収録した映像音声素材を現用側の番組時差素材として登録するように、制御信号を現用側映像音声収録装置１０３に出力する。この制御信号を受けて、現用側映像音声収録装置１０３は、映像音声信号１６から収録した映像音声素材を現用側の番組時差素材として登録する。また、収録途中の映像音声信号１２のデータを破棄する。
同時に、機器制御用コンピュータ１０１は、映像音声信号１７から収録した映像音声素材を予備側の番組時差素材として登録するように、制御信号を予備側映像音声収録装置１０４に出力する。この制御信号を受けて、予備側映像音声収録装置１０４は、映像音声信号１７から収録した映像音声素材を予備側の番組時差素材として登録する。また、収録若しくは収録途中の映像音声信号１２のデータを破棄する。
【００１８】
映像音声収録装置１０３は、機器故障により映像音声信号１６の収録が中断した場合に、機器制御用コンピュータ１０１に収録中断の中断情報を出力する。
収録中断の中断情報を受けた機器制御用コンピュータ１０１は、映像音声信号１２から収録した映像音声素材を現用側の番組時差素材として登録するように、制御信号を現用側映像音声収録装置１０３に出力する。この制御信号を受けて、現用側映像音声収録装置１０３は、映像音声信号１２から収録した映像音声素材を現用側の番組時差素材として登録する。また、収録途中の映像音声信号１６のデータを破棄する。
同時に機器制御用コンピュータ１０１は、映像音声信号１３から収録した映像音声素材を予備側の番組時差素材として登録するように、制御信号を予備側映像音声収録装置１０４に出力する。この制御信号を受けて、予備側映像音声収録装置１０４は、映像音声信号１３から収録した映像音声素材を予備側の番組時差素材として登録する。また、収録若しくは収録途中の映像音声信号１７のデータを破棄する。
【００１９】
なお、映像音声収録装置１０３が、機器故障により映像音声信号１６の収録を中断する原因は、入力異常の発生や、収録装置自体の不具合などの発生である。
機器制御用コンピュータ１０１は、映像音声収録装置１０３に対して、収録中に一定時間間隔（若しくは、所定の周期）で収録状態を取得しているので、異常が検出されると収録中断と判断する。
【００２０】
映像音声収録装置１０４は、機器故障により映像音声信号１３の収録が中断した場合に、機器制御用コンピュータ１０１に収録中断の中断情報を出力する。
収録中断の中断情報を受けた機器制御用コンピュータ１０１は、映像音声信号１７から収録した映像音声素材を予備側の番組時差素材として登録するように、制御信号を予備側映像音声収録装置１０４に出力する。この制御信号を受けて、予備側映像音声収録装置１０４は、映像音声信号１７から収録した映像音声素材を予備側の番組時差素材として登録する。また、収録途中の映像音声信号１３のデータを破棄する。
同時に機器制御用コンピュータ１０１は、映像音声信号１６から収録した映像音声素材を現用側の番組時差素材として登録するように、制御信号を現用側映像音声収録装置１０３に出力する。この制御信号を受けて、現用側映像音声収録装置１０３は、映像音声信号１６から収録した映像音声素材を現用側の番組時差素材として登録する。また、収録若しくは収録途中の映像音声信号１６のデータを破棄する。
【００２１】
映像音声収録装置１０４は、機器故障により映像音声信号１７の収録が中断した場合に、機器制御用コンピュータ１０１に収録中断の中断情報を出力する。
収録中断の中断情報を受けた機器制御用コンピュータ１０１は、映像音声信号１３より収録した映像音声素材を予備側の番組時差素材として登録するように、制御信号を予備側映像音声収録装置１０４に出力する。この制御信号を受けて、予備側映像音声収録装置１０４は、映像音声信号１３から収録した映像音声素材を予備側の番組時差素材として登録する。また、収録途中の映像音声信号１７のデータを破棄する。
同時に機器制御用コンピュータ１０１は、映像音声信号１２から収録した映像音声素材を現用側放送素材として登録するように、制御信号を現用側映像音声収録装置１０３に出力する。この制御信号を受けて、現用側映像音声収録装置１０３は、映像音声信号１２から収録した映像音声素材を現用側の番組時差素材として登録する。また、収録若しくは収録途中の映像音声信号１６のデータを破棄する。
【００２２】
なお、現用側映像音声収録装置１０３及び予備側映像音声収録装置１０４が、共に正常に映像音声信号１２、１３、１６、及び１７をそれぞれすべて収録できた場合には、映像信号１２と１３とをそれぞれ、現用側映像音声収録装置１０３及び予備側映像音声収録装置１０４の番組時差素材とすることをすでに述べている。従って、その拡張ケースとして、現用側映像音声収録装置１０３で映像音声信号１２が、予備側映像音声収録装置１０４で映像音声信号１３が、共に正常に収録されていれば、現用側映像音声収録装置１０３若しくは予備側映像音声収録装置１０４は機器制御用コンピュータ１０１に中断情報を出力するが、自動的に、は映像音声信号１２から収録されたデータを現用の番組時差素材とし、映像音声信号１３から収録されたデータを予備の番組時差素材とするようにしても良い。
【００２３】
上述した素材若しくは映像信号の記録再生状態の監視方法は、例えば、特許第３６７５１２２号公報等によれば可能である。その具体的な方法としては、映像の記録再生装置を制御する制御装置を監視装置とし、映像の記録再生状態を画像認識によって監視し、画像のデータを保持し、その保持したデータを状態の記録として用いる方法がある。即ち、監視装置が、入力された映像信号を画像認識によって監視し、シーンの変化点の検出とノイズの検出を行う。検出した画像のデータをファイルに保持し、映像の記録再生状態の記録結果（ログ）として用いるものである。
【００２４】
なお、上述した機器制御用コンピュータ１０１は、上記監視装置からの異常検知情報や上記収録装置からの中断情報を、上位のシステム、例えば、放送全般の運用を管理する送出コントローラ、等に出力し、上位システムは、それらの情報から、異常状態を速やかに解消するように統制する。
なお、上述の実施例では、番組素材である映像音声信号の収録状態を監視するユニットが、現用側映像音声信号監視装置、予備側映像音声信号監視装置、現用側映像音声収録装置、及び、予備側映像音声収録装置に分散されていた。しかし、それらを現用側と予備側とで２つに統合して監視する、若しくは、１つの監視装置がすべてを監視するようにしても良い。
【００２５】
上述の図１の実施例は、２重系構成の映像音声収録装置それぞれに、常に、２重系構成のマトリクススイッチャのそれぞれからの映像音声信号を収録するようにして、安定性及び信頼性の高い番組時差収録システムを構成したものである。
即ち、本発明の図１の実施例は、同一の素材の映像信号を分配器等によって、同一の複数の映像信号を生成し、生成した複数の映像信号を更に複数のマトリクススイッチャでそれぞれ複製の映像信号を生成している。そして、マトリクススイッチャで生成した複製のどれかが収録中断若しくは異常検知された場合には、同じマトリクススイッチャで複製した他の映像信号を全て破棄し、番組時差素材として使用しないようにするものである。
【００２６】
なお、分配器と現用側と予備側の２つのマトリクススイッチャを、１つのマトリクススイッチャとして一体化した構成であっても良い。
上述の図１の実施例を適用することにより、機器故障や回線不良による時差収録の失敗を回避し、安定した番組の放送を実現することが可能となる。
【図面の簡単な説明】
【００２７】
【図１】本発明の番組時差収録システムの一実施例の構成を示すブロック図。
【符号の説明】
【００２８】
１０、２０、３０、４０：素材の映像音声信号、  １１〜１８：映像音声信号、  １０１：機器制御用コンピュータ、  １０２：現用側マトリクススイッチャ、  １０３：現用側映像音声収録装置、  １０４：予備側映像音声収録装置、  １０５：予備側マトリクススイッチャ、  １０６：現用側映像音声信号監視装置、  １０７：予備側映像音声信号監視装置、１０８：分配器。
【図１】
2009117983.tif 000003